(57)【要約】【課題】　軸受の予圧方法及び予圧構造の改善によって組立性向上及びコスト節減が図れるテープレコーダのヘッドドラム組立体を提供する。【解決手段】　シャフトと、走行する磁気テープをスキャニングすることによって情報を記録/再生する磁気ヘッドを支持する回転ドラムと、該回転ドラムと並んでその回転ドラムの軸穴に挟み込まれるシャフトの下部に押し込まれて取り付けられる固定ドラムと、前記回転ドラムと前記シャフトとの間に設けられる上部軸受及び下部軸受と、該上部軸受と下部軸受にそれぞれ予圧を印加するための予圧手段を含む。【選択図】　　　図３Ｅ
2004134066.tif 000002
【特許請求の範囲】
【請求項１】
　シャフトと、
　走行する磁気テープをスキャニングすることによって情報を記録/再生する磁気ヘッドを支持する回転ドラムと、
　該回転ドラムと並んでその回転ドラムの軸穴に挟み込まれるシャフトの下部に押し込まれて結合される固定ドラムと、
　前記回転ドラムと前記シャフトとの間に設けられる上部軸受及び下部軸受と、
　該上部軸受と下部軸受にそれぞれ予圧を印加するための予圧手段とを含むことを特徴とするテープレコーダのヘッドドラム組立体。
【請求項２】
　前記上部及び下部軸受それぞれは内輪を含み、
　前記予圧手段は、前記上部軸受と下部軸受との間に位置してそれぞれの内輪を対向する方向に付勢して加圧するよう前記シャフトの外周面上に設けられる弾性体を含むことを特徴とする請求項１に記載のテープレコーダのヘッドドラム組立体。
【請求項３】
　前記弾性体は圧縮コイルバネを含むことを特徴とする請求項２に記載のテープレコーダのヘッドドラム組立体。
【請求項４】
　シャフトと、
　走行する磁気テープをスキャニングして情報を記録/再生する磁気ヘッドを支持する回転ドラムと、
　該回転ドラムと並んでその回転ドラムの軸穴に挟み込まれるシャフトの下部に押し込まれて取付けられる固定ドラムと、
　前記回転ドラムと前記シャフトとの間に設けられる上部軸受及び下部軸受と、
　該上部軸受と下部軸受にそれぞれ予圧を印加するための予圧装置とを含むことを特徴とするテープレコーダのヘッドドラム組立体。
【請求項５】
　前記上部及び下部軸受それぞれは内輪を含み、
　前記予圧装置は、前記上部軸受と下部軸受との間に位置してそれぞれの内輪を対向する方向に付勢して加圧するよう前記シャフトの外周面上に設けられる弾性体を含むことを特徴とする請求項４に記載のテープレコーダのヘッドドラム組立体。
【請求項６】
　前記弾性体は、バネを含むことを特徴とする請求項５に記載のテープレコーダのヘッドドラム組立体。
【請求項７】
　前記回転ドラムは前記上部軸受を収納するための上部凹溝と、前記下部軸受を収納するための下部凹溝とをさらに含むことを特徴とする請求項４に記載のテープレコーダのヘッドドラム組立体。
【請求項８】
　前記予圧は、上向きに前記上部軸受の内輪に印加されることを特徴とする請求項４に記載のテープレコーダのヘッドドラム組立体。
【請求項９】
　前記予圧は下向きに前記下部軸受の内輪に印加されることを特徴とする請求項４に記載のテープレコーダのヘッドドラム組立体。
【請求項１０】
　走行する磁気テープをスキャニングして情報を記録/再生する磁気ヘッドを支持する回転ドラムの上部凹溝に上部軸受を押し込む段階と、
　前記上部軸受を通してシャフトを押し込む段階と、
　前記上部軸受の下部面に隣接する前記シャフトの外周に予圧手段を差し込む段階と、
　前記予圧手段が上部及び下部軸受を対向して弾性加圧するよう前記回転ドラムの下部凹溝内の前記シャフトの周りに下部軸受を押し込む段階と、
　前記シャフトと下部軸受及び回転ドラムの周りに固定ドラムを押し込む段階とを含むことを特徴とするテープレコーダのヘッドドラム組立体組立方法。
【請求項１１】
　前記予圧手段はバネを含むことを特徴とする請求項１０に記載のテープレコーダのヘッドドラム組立体組立方法。
【請求項１２】
　前記予圧は上向きには前記上部軸受の内輪に印加され、下向きには前記下部軸受の内輪に印加されることを特徴とする請求項１０に記載のテープレコーダのヘッドドラム組立体組立方法。
【請求項１３】
　走行する磁気テープをスキャニングして情報を記録/再生する磁気ヘッドを支持する回転ドラムの上部凹溝に上部軸受を押し込む段階と、
　シャフトを上部軸受に押し込む段階と、
　前記上部軸受の下部面に隣接するよう前記シャフトの周りに予圧装置を差し込む段階と、
　前記予圧装置が上部及び下部軸受を互いに対向して弾性加圧するよう回転ドラムの下部凹溝内の前記シャフトの周りに下部軸受を押し込む段階と、
　前記シャフトと下部軸受と回転ドラムの周りに固定ドラムを押し込む段階とを含むことを特徴とするテープレコーダのヘッドドラム組立体組立方法。
【請求項１４】
　前記予圧装置はバネを含むことを特徴とする請求項１３に記載のテープレコーダのヘッドドラム組立体組立方法。
【請求項１５】
　前記予圧は上向きには前記上部軸受の内輪に印加され、下向きには前記下部軸受の内輪に印加されることを特徴とする請求項１３に記載のテープレコーダのヘッドドラム組立体組立方法。
【発明の詳細な説明】
【技術分野】
【０００１】
　本発明はＶＣＲやカムコーダのようなテープレコーダのヘッドドラム組立体に係り、さらに詳しくはヘッドドラム軸受の予圧方法及び予圧構造が改善されたテープレコーダのヘッドドラム組立体に関する。
【背景技術】
【０００２】
　一般に、ＶＣＲやカムコーダのようなテープレコーダのデッキには磁気テープに対する磁気ヘッドのスキャニングによって情報を記録/再生するために高速回転が可能なように設けられたヘッドドラム組立体が具備される。このようなヘッドドラム組立体は、図１に示したように走行する磁気テープをスキャニングして情報を記録/再生するための磁気ヘッドＨを回転自在な状態で支持する回転ドラム１０と、回転ドラム１０の中心軸穴に挟み込まれたシャフト３０に並んだ状態で押し込まれる固定ドラム２０と、回転ドラム１０とシャフト３０との間に上下に配置されるよう押し込まれる上部軸受４０と下部軸受５０を含む。ここで、未説明符号１及び２はそれぞれローターとステーターを示し、符号３はローター１の内周面に設けられるマグネットを示す。
【０００３】
　前述したような構成を有するテープレコーダのヘッドドラム組立体は、上部軸受４０と下部軸受５０に予圧(pre-load)を印加するための予圧手段を具備するが、従来の通常の軸受予圧手段は図１に示したように上部軸受４０の上方に予圧ボス６０を設け、下部軸受５０の下方には固定ドラム２０に突出爪７０を設けて予圧を印加する予圧構造が一般的であった。
【０００４】
　前述したような従来の軸受予圧構造によれば、予圧ボス６０をセットスクリューＳで締結して予圧ボス６０の突出部が上部軸受４０の内輪４１を下方に加圧するようにすると同時に、突出爪７０が下部軸受５０の内輪５１を上方に加圧するようにして予圧を印加する。
【０００５】
　従って、従来のヘッドドラム組立体の軸受予圧構造は、予圧ボス６０及びその結合のためにセットスクリューＳが追加所要されることによってコストアップの要因になる問題点を有している。そして、前記セットスクリューＳの締結時予圧ボス６０の結合位置決めが容易でなくて精密な予圧管理が難しくなり、よって軸受駆動時騒音発生などのような品質不良の要因になる問題点がある。
【０００６】
　また、従来のヘッドドラム組立体の軸受予圧方法及び予圧構造によれば、軸受の過渡な押込過程による熱的変形などを解消するために軸受組立後アニリングのような熱処理過程を経ることによって、生産性及び製造コストがアップする問題点を持っている。
【発明の開示】
【発明が解決しようとする課題】
【０００７】
　本発明は前述したような従来のテープレコーダヘッドドラム組立体の軸受予圧方法及び予圧構造が有する問題点に鑑みて案出されたもので、本発明の目的は軸受の予圧方法及び予圧構造の改善によって組立性向上及びコスト低減が図れるテープレコーダのヘッドドラム組立体を提供するところにある。
【課題を解決するための手段】
【０００８】
　前述した目的を達成するための本発明に係るテープレコーダのヘッドドラム組立体は、シャフトと、走行する磁気テープをスキャニングすることによって情報を記録/再生する磁気ヘッドを支持する回転ドラムと、該回転ドラムと並んで該回転ドラムの軸穴に挟み込まれるシャフトの下部に押し込まれて取付けられる固定ドラムと、前記回転ドラムと前記シャフトとの間に設けられる上部軸受及び下部軸受と、該上部軸受と下部軸受にそれぞれ予圧を印加するための予圧手段とを含むことを特徴とする。
【０００９】
　また、前述した目的を達成するための本発明の他の側面によるテープレコーダのヘッドドラム組立体は、シャフトと、走行する磁気テープをスキャニングして情報を記録/再生する磁気ヘッドを支持する回転ドラムと、該回転ドラムと並んでその回転ドラムの軸穴に挟み込まれるシャフトの下部に押し込まれて取付けられる固定ドラムと、前記回転ドラムと前記シャフトとの間に設けられる上部軸受及び下部軸受と、該上部軸受と下部軸受にそれぞれ予圧を印加するための予圧装置とを含むことを特徴とする。
【００１０】
　そして、前述した目的を達成するための本発明に係るテープレコーダのヘッドドラム組立体の組立方法は、走行する磁気テープをスキャニングして情報を記録/再生する磁気ヘッドを支持する回転ドラムの上部凹溝に上部軸受を押し込む段階と、前記上部軸受を通してシャフトを押し込む段階と、前記上部軸受の下部面に隣接する前記シャフトの外周に予圧手段を差し込む段階と、前記予圧手段が上部及び下部軸受を対向して弾性加圧するよう前記回転ドラムの下部凹溝内の前記シャフトの周りに下部軸受を押し込む段階と、前記シャフトと下部軸受及び回転ドラムの周りに固定ドラムを押し込む段階とを含むことを特徴とする。
【００１１】
　また、前述した目的を達成するための本発明に係るテープレコーダのヘッドドラム組立体の組立方法は、走行する磁気テープをスキャニングして情報を記録/再生する磁気ヘッドを支持する回転ドラムの上部凹溝に上部軸受を押し込む段階と、シャフトを上部軸受に押し込む段階と、前記上部軸受の下部面に隣接するよう前記シャフトの周りに予圧装置を差し込む段階と、前記前記予圧装置が上部及び下部軸受を互いに対向して弾性加圧するよう回転ドラムの下部凹溝内の前記シャフトの周りに下部軸受を押し込む段階と、前記シャフトと下部軸受と回転ドラムの周りに固定ドラムを押し込む段階を含むことを特徴とする。
【発明の効果】
【００１２】
　本発明に係るテープレコーダのヘッドドラム組立体及び軸受予圧構造によれば、通常のボール軸受と弾性体を用いる予圧構造を形成することによって、既存の予圧ボス及びその結合のためのスクリューを排除でき、かつ既存の予圧構造において軸受の過渡な押し込み過程による熱的変形などを解消するためのアニリング過程の省略などを通して組立性向上及びコスト低減が図れる。
【発明を実施するための最良の形態】
【００１３】
　以下、添付した図面に基づき本発明の望ましい実施例によるテープレコーダのヘッドドラム軸受予圧方法とその予圧方法の適用によって軸受予圧構造が改善されたヘッドドラム組立体を詳述する。
【実施例１】
【００１４】
　図２を参照するに、本発明に係るテープレコーダのヘッドドラム組立体１００は、走行する磁気テープをスキャニングして情報を記録/再生するための磁気ヘッドＨを回転自在な状態で支持する回転ドラム１１０と、回転ドラム１１０の軸穴に挟み込まれたシャフト１３０の下方に並んだ状態で押し込まれる固定ドラム１２０と、回転ドラム１１０とシャフト１３０との間に上下に配設される上部軸受１４０と下部軸受１５０及び上部軸受１４０と下部軸受１５０に予圧を印加するための予圧手段であって、上部軸受１４０と下部軸受１５０との間に介在されそれぞれの内輪１４１、１５１を対向する方向に付勢して加圧するようにシャフト１３０の外周面上に設けられる弾性体１６０を含む。
【００１５】
　すなわち、本発明に係るテープレコーダのヘッドドラム組立体は軸受の予圧方法及び予圧構造が改善されたもので、要するに上部軸受１４０と下部軸受１５０の間に位置するようシャフト１３０の外周面上に弾性体１６０を予圧手段として設け、その弾性体１６０が上部軸受１４０の内輪１４１と下部軸受１５０の内輪１５１をそれぞれ上方と下方に加圧することによって、上部軸受１４０と下部軸受１５０にそれぞれ示された矢印方向に予圧を印加できるように構成したところに特徴がある。
【実施例２】
【００１６】
　一方、本発明の一側面によれば、弾性体１６０は例えば圧縮コイルバネを設けられ、これに限らず上部軸受１４０の内輪１４１と下部軸受１５０の内輪１５１をそれぞれ上方と下方に加圧して付勢できる多様な形態の弾性体を用いられる。
【００１７】
　以下、図３Ａないし図３Ｅに基づき前述したような軸受予圧構造を形成するための本発明に係るヘッドドラム軸受予圧方法を詳述する。
【００１８】
　まず、図３Ａに示した通り、回転ドラム１１０の上面中央部に形成された凹溝１１０aの内周面に上部軸受１４０を上方から下方に強いて押し込んで第１組立体１００ａを形成する。この際、上部軸受１４０の外輪１４２は回転ドラム１１０の内周面に密着され上方に加圧されることによって微小量上昇された状態を維持するようになる。
【００１９】
　次いで、図３Ｂに示した通り、第１組立体１００ａの上部軸受１４０にシャフト１３０を結合して第２組立体１００ｂを形成する。
【００２０】
　本発明において、シャフト１３０の外径は上部軸受１４０の内輪１４１の内径より小さく形成される。従って、上部軸受１４０の内輪１４１はシャフト１３０の外径に沿ってスライディング安着した後、ボンディングによって取付けられる。
【００２１】
　従って、第２組立体１００ｂを形成した後、上部軸受１４０の内輪１４１と外輪１４２の位置がアンバランス状態を維持することによってこれを解消できるよう予圧を印加するための次の過程として、図３Ｃ及び図３Ｄに示したように圧縮コイルバネのような弾性体１６０を予圧手段として設ける。すなわち、図３Ｃに示した通り、上部軸受１４０の内輪１４１を支えて上方に付勢するよう弾性体１６０を設け、次いで図３Ｄに示した通り、下部軸受１５０の内輪１５１が弾性体１６０の下方を支持するよう回転ドラム１１０の底部に下部軸受１５０を取付けて第３組立体１００ｃを形成する。
【００２２】
　第３組立体１００ｃの形成過程では、下部軸受１５０をシャフト１３０に押し込む過程を経た後、回転ドラム１２０の底面の中央部に形成された凹溝１２２に押し込まれる。この際、下部軸受１５０の内輪１５１はシャフト１３０の外周面に密着され下方に加圧されると同時に弾性体１６０によって下方に付勢される。これによって、弾性体１６０が上部軸受１４０の内輪１４１と下部軸受１５０の内輪１５１をそれぞれ上方と下方に加圧することによって、上部軸受１４０と下部軸受１５０にそれぞれ示した矢印方向に予圧が印加される。
【００２３】
　最後に、図３Ｅに示した通り、第３組立体１００ｃの回転ドラム１１０の下方に位置するようシャフト１３０に固定ドラム１２０を押し込んで、本発明に係るヘッドドラム軸受予圧方法及び予圧構造が適用されたヘッドドラム組立体が完成される。
【産業上の利用可能性】
【００２４】
　本発明はＶＣＲやカムコーダのようにシャフトを有するヘッドドラム組立体が採用された映像撮影装置に適用できる。
【図面の簡単な説明】
【００２５】
【図１】従来のテープレコーダのヘッドドラム組立体を概略的に示した一部切除断面図である。
【図２】本発明に係るテープレコーダのヘッドドラム組立体を概略的に示す断面図である。
【図３Ａ】本発明に係るヘッドドラム組立体の軸受予圧方法を説明するためにその組立過程を示す概略的断面図である。
【図３Ｂ】本発明に係るヘッドドラム組立体の軸受予圧方法を説明するためにその組立過程を示す概略的断面図である。
【図３Ｃ】本発明に係るヘッドドラム組立体の軸受予圧方法を説明するためにその組立過程を示す概略的断面図である。
【図３Ｄ】本発明に係るヘッドドラム組立体の軸受予圧方法を説明するためにその組立過程を示す概略的断面図である。
【図３Ｅ】本発明に係るヘッドドラム組立体の軸受予圧方法を説明するためにその組立過程を示す概略的断面図である。
【符号の説明】
【００２６】
１００　　ヘッドドラム組立体
１００ａ　第１組立体
１００ｂ　第２組立体
１００ｃ　第３組立体
１１０　　回転ドラム　　　　　　　
１１０ａ　凹溝
１２０　　固定ドラム
１３０　　シャフト　　　　　　　　
１４０　　上部軸受
１４１、１５１　内輪
１４２　　外輪
１５０　　下部軸受　　　　　　　　
１６０　　弾性体
【図１】
2004134066.tif 000003
【図２】
2004134066.tif 000004
【図３Ａ】
2004134066.tif 000005
【図３Ｂ】
2004134066.tif 000006
【図３Ｃ】
2004134066.tif 000007
【図３Ｄ】
2004134066.tif 000008
【図３Ｅ】
2004134066.tif 000009